(57)【要約】【課題】アンテナの設置条件の最適化を図る。【解決手段】本デジタル複合機１は、全体を制御するメインＣＰＵ等の制御部８と無線ランモジュール９とが実装されている制御基板７が背面内側に設置され、本デジタル複合機１の背面にメインアンテナ５とサブアンテナ６とを設置し、無線ランモジュール９とメインアンテナ５及び無線ランモジュール９とサブアンテナ６とを接続するケーブル長を最短にしてエネルギの減衰を抑え、さらにメインアンテナ５とサブアンテナ６とを設けることにより放射特性が損なわれるのを防ぐ。【選択図】図２
2005278172.tif 000002
【特許請求の範囲】
【請求項１】
画像形成装置の本体と、
この画像形成装置の本体の背面内側に内蔵された無線ランモジュールと、
上記画像形成装置の本体の背面に設けられたアンテナと、
上記無線ランモジュールとアンテナとを最短で接続するケーブルと、
を具備したことを特徴とする画像形成装置。
【請求項２】
原稿自動送り装置が装着された画像形成装置において、
この画像形成装置の本体の背面内側に内蔵された無線ランモジュールと、
この無線ランモジュールと接続され、上記画像形成装置の本体背面に上記原稿自動送り装置の最上部に対する所定位置より高い位置に設けられたアンテナの最上部と、
を具備したことを特徴とする画像形成装置。
【請求項３】
原稿自動送り装置が装着された画像形成装置において、
この画像形成装置の本体の背面内側に内蔵された無線ランモジュールと、
この無線ランモジュールと接続されて上記画像形成装置の本体背面に設けられ、画像形成装置の正面に対して遮蔽物となる上記原稿自動送り装置を考慮した最適な放射特性が得られる位置に設けられたメインアンテナと、
上記無線ランモジュールと接続され、上記画像形成装置の本体背面に設けられたサブアンテナと、
を具備したことを特徴とする画像形成装置。
【発明の詳細な説明】
【技術分野】
【０００１】
この発明は、無線ラン（ＬＡＮ）、ブルートゥース（Bluetooth）等の無線通信機能を有して画像を形成する画像形成装置に関する。
【背景技術】
【０００２】
最近のデジタル複合機（複写機、ファクシミリ、プリンタなどの複合機：Multi Function Peripheral）では、オプションとして無線ランモジュールを装着して無線通信機能を持たせることができる。また、近年、新たに近距離無線通信方式ブルートゥースが開発され、これもオプションとして装着することができる。
【０００３】
しかしながら、このような無線通信機能を内蔵したデジタル複合機が望まれるようになった。その際、アンテナをデジタル複写機の筐体外部へ設ける場合にアンテナの設置条件により放射特性が変わるという問題があった。
【発明の開示】
【発明が解決しようとする課題】
【０００４】
この発明の目的は、アンテナの設置条件の最適化を図った画像形成装置を提供することである。
【課題を解決するための手段】
【０００５】
この発明の画像形成装置は、画像形成装置の本体と、この画像形成装置の本体の背面内側に内蔵された無線ランモジュールと、上記画像形成装置の本体の背面に設けられたアンテナと、上記無線ランモジュールとアンテナとを最短で接続するケーブルとから構成されている。
【発明の効果】
【０００６】
本発明の画像形成装置は、アンテナを設置する条件の最適化を図ることが可能となる。
【発明を実施するための最良の形態】
【０００７】
以下、図面を参照して、この発明の実施の形態について詳細に説明する。
【０００８】
図１は、この発明の画像形成装置に係るデジタル複合機（Multi Function Peripheral：以下、ＭＦＰと記述する）の外観構成を示すものである。すなわち、ＭＦＰ１は、正面下部に複数の給紙カセット２、正面上部に操作パネル３を有し、さらに上部に自動原稿送り装置（ＲＡＤＦ）４が装着されている。
【０００９】
図２は、図１に示すＭＦＰ１の背面から見た外観構成を示すものである。ＭＦＰ１の背面には、詳しくは後述するがメインアンテナ５とサブアンテナ６とが設けられている。メインアンテナ５とサブアンテナ６とは、例えば、デュアルバンドアンテナで構成されている。
【００１０】
また、点線で示しているが、制御基板７がＭＦＰ１の背面内側に設けられている。この制御基板７には、ＭＦＰ１の全体を制御するメインＣＰＵ等の制御部８と無線ランモジュール９とが実装されている。この無線ランモジュール９には、メインアンテナ５とサブアンテナ６とが接続されている。
【００１１】
次に、このような構成において、第１実施例のアンテナ設定について説明する。
【００１２】
本ＭＦＰ１の場合は、正面側が給紙カセット２やジャム処理アクセス経路等の制約上、制御基板７が上述したように背面内側に設置されている。
【００１３】
また、メインアンテナ５とサブアンテナ６の利得を維持するには、無線ランモジュール９と接続するケーブル長による減衰量を抑える必要がある。
【００１４】
そこで、本第１実施例では、制御基板７に接続するケーブル長を抑制するためにＭＦＰ１の背面にメインアンテナ５とサブアンテナ６とを設置している。これによって、最短のケーブル長を確保している。
【００１５】
図３は、ケーブル長に対するエネルギの減衰量の例を示すものである。すなわち、２ＧＨｚの場合は、ケーブル長が０．８ｍで２．１dBの減衰量となり、ケーブル長が１．０ｍで２．６dBの減衰量となり、ケーブル長が１．２ｍで３．１dBの減衰量となった。また、５ＧＨｚの場合は、ケーブル長が０．８ｍで３．２dBの減衰量となり、ケーブル長が１．０ｍで４．０dBの減衰量となり、ケーブル長が１．２ｍで４．８dBの減衰量となった。
【００１６】
以上説明したように上記第１実施例によれば、無線ランモジュール９を有する制御基板７が背面に設けられているので、メインアンテナ５とサブアンテナ６とをＭＦＰ１の背面に設けて接続ケーブル長による減衰量を最小に抑えることができる。
【００１７】
なお、メインアンテナ５とサブアンテナ６とをＭＦＰ１の背面に設けることにより、無線機器が発する電磁エネルギの被爆のガイドライン指針（オペレータとの距離２２ｃｍ以上）を遵守することができる。すなわち、メインアンテナ５とサブアンテナ６とをＭＦＰ１の背面に設けることにより、ユーザが直接操作するＭＦＰ１の操作パネル３から一定の距離を確保することができる。
【００１８】
次に、第２実施例のアンテナ設置条件について説明する。
【００１９】
図４は、ＭＦＰ１を背面から見た上部の外観構成を示すものである。
【００２０】
ＭＦＰ１の背面へのアンテナ設置条件として、ＭＦＰ１の筐体内への設置は、本体いずれの場所に設置を行っても筐体自身が遮蔽物となる（ＭＦＰ１の正面方向に対して）。
【００２１】
そこで、本第２実施例では、メインアンテナ５とサブアンテナ６の高さ方向についての設置条件を最適化する。
【００２２】
測定結果として自動原稿送り装置（ＲＡＤＦ）４の装着時は、図４に示すように、ＲＡＤＦ４の最上部より１ｃｍ低い位置より上部に設置すればメインアンテナ５とサブアンテナ６の性能劣化が少ないことが確認できた。
【００２３】
以上説明したように上記第２実施例によれば、自動原稿送り装置の装着時は自動原稿送り装置の最上部より１ｃｍ低い位置より上部に設置することにより、アンテナの性能劣化を防ぐことができる。
【００２４】
次に、第３実施例のメインアンテナとサブアンテナの設置条件について説明する。
【００２５】
自動原稿送り装置（ＲＡＤＦ）４は、用紙を給紙したり反転するための機構部４ａがＭＦＰ１の正面向かって左側に配置されている（図１参照）。機構部４ａの背面は、機構部自身が遮蔽物となるためメインアンテナ５は、その反対側に設置して放射特性を改善している（図１，２参照）。
【００２６】
しかしながら、メインアンテナ５が操作パネル３の背面右側にある場合は、やはり機構部４ａが遮蔽物となって放射特性が損なわれる。
【００２７】
図５は、メインアンテナ５の放射特性を示すものである。Data１が水平方向の放射特性であり、Data２が垂直方向の放射特性である。ＭＦＰ１の正面を０度として、右側から９０度、後に回って１８０度、左側に戻って２７０度としてメインアンテナ５の放射特性を示している。図５からもわかるように、左側２７０度から３１５度辺りの放射特性が損なわれている。
【００２８】
そこで、この範囲をカバーできる位置にサブアンテナ６を設けて、その部分の損失特性を補っている。
【００２９】
図６は、サブアンテナ６の放射特性を示すものである。Data１が水平方向の放射特性であり、Data２が垂直方向の放射特性である。図５と同様にＭＦＰ１の正面を０度として、右側から９０度、後に回って１８０度、左側に戻って２７０度としてメインアンテナ５の放射特性を示している。図６からもわかるように、左側２７０度から３１５度辺りのメインアンテナ５の損失特性を補っている。
【００３０】
以上説明したように上記第３実施例によれば、メインアンテナ５と共にサブアンテナ６を設けることにより、放射特性が損なわれるのを防ぐことができる。
【００３１】
次に、第４実施例について説明する。
【００３２】
上述した無線ランと共にブルートゥースが設けられた場合、同時通信での干渉が発生する。そこで、本第４実施例では、ブルートゥースと無線ランとの同時通信での干渉の影響を少なくするようなアンテナ設置条件の最適化を図る。
【００３３】
図７は、ＭＦＰ１を上から見た外観構成を示すものである。矢印方向が、ＭＦＰ１の正面である。ＭＦＰ１の背面には、メインアンテナ５、サブアンテナ６、及びブルートゥースに用いられるブルートゥース用アンテナ１０が設けられている。各アンテナ間の設置間隔は、２００ｍｍ以上を確保している。
【００３４】
上記第４実施例によれば、ブルートゥース用アンテナ１０をメインアンテナ５とサブアンテナ６の中間に設置することにより、ブルートゥースと無線ランとの同時通信でも干渉の影響を少なくすることができる。
【００３５】
なお、本願発明は、上記（各）実施形態に限定されるものではなく、実施段階ではその要旨を逸脱しない範囲で種々に変形することが可能である。また、各実施形態は可能な限り適宜組み合わせて実施してもよく、その場合組み合わせた効果が得られる。さらに、上記実施形態には種々の段階の発明が含まれており、開示される複数の構成要件における適宜な組み合わせにより種々の発明が抽出され得る。例えば、実施形態に示される全構成要件から幾つかの構成要件が削除されても、発明が解決しようとする課題の欄で述べた課題（の少なくとも１つ）が解決でき、発明の効果の欄で述べられている効果（の少なくとも１つ）が得られる場合には、この構成要件が削除された構成が発明として抽出され得る。
【図面の簡単な説明】
【００３６】
【図１】この発明の画像形成装置に係るデジタル複合機の外観構成を示す図。
【図２】デジタル複合機の背面から見た外観構成を示す図。
【図３】ケーブル長に対するエネルギの減衰量の例を示す図。
【図４】デジタル複合機を背面から見た上部の外観構成を示す図。
【図５】メインアンテナの放射特性を示す図。
【図６】サブアンテナの放射特性を示す図。
【図７】デジタル複合機を上から見た外観構成を示す図。
【符号の説明】
【００３７】
１…デジタル複合機（ＭＦＰ）、２…給紙カセット、３…操作パネル、４…自動原稿送り装置（ＲＡＤＦ）、５…メインアンテナ、６…サブアンテナ、７…制御基板、８…制御部、９…無線ランモジュール。
【図１】
2005278172.tif 000003
【図２】
2005278172.tif 000004
【図３】
2005278172.tif 000005
【図４】
2005278172.tif 000006
【図５】
2005278172.tif 000007
【図６】
2005278172.tif 000008
【図７】
2005278172.tif 000009